(57)【特許請求の範囲】
【請求項１】
第１の駆動部で駆動されるフォーカス光学系及び第２の駆動部で駆動されるズーム光学系を有する撮影光学系で形成された被写体像を撮像する撮像素子と、
手振れの補正量を演算する演算手段と、
駆動モータを含み、前記演算手段によって演算された前記補正量に基づいて、該駆動モータの駆動力で手振れを補正する振れ補正機構と、
前記第１の駆動部、前記第２の駆動部及び前記駆動モータへ電力を供給する電力供給手段と、
前記電力供給手段による前記駆動モータへの電力供給量を設定する電力設定手段と、を備え、
前記電力設定手段は、前記第１の駆動部が前記フォーカス光学系を駆動中は、前記駆動モータへの電力供給量を第１の電力供給量に設定し、前記第２の駆動部が前記ズーム光学系を駆動中は、前記駆動モータへの電力供給量を前記第１の電力供給量より少ない第２の電力供給量に設定することを特徴とするデジタルカメラ。
【請求項２】
フォーカス光学系及びズーム光学系を有する撮影光学系と、
前記撮影光学系で形成された被写体像を撮像する撮像素子と、
手振れの補正量を演算する演算手段と、
駆動モータを含み、前記演算手段によって演算された前記補正量に基づいて、該駆動モータの駆動力で手振れを補正する振れ補正機構と、
前記フォーカス光学系を駆動する第１の駆動部と、
前記ズーム光学系を駆動する第２の駆動部と、
前記第１の駆動部、前記第２の駆動部及び前記駆動モータへ電力を供給する電力供給手段と、
前記駆動モータへ供給される電力を設定する電力設定手段と、を備え、
前記電力設定手段は、前記第１の駆動部が前記フォーカス光学系を駆動中は、前記駆動モータへ供給される電力を第１の電力供給量に設定し、前記第２の駆動部が前記ズーム光学系を駆動中は、前記駆動モータへ供給される電力を前記第１の電力供給量より少ない第２の電力供給量に設定することを特徴とするデジタルカメラ。
【請求項３】
請求項１または２に記載のデジタルカメラにおいて、
前記駆動モータはボイスコイルモータであり、
前記撮影光学系は振れ補正用光学系を有し、
前記振れ補正機構は、前記ボイスコイルモータによる駆動力で前記振れ補正用光学系を駆動して前記手振れを補正することを特徴とするデジタルカメラ。
【請求項４】
請求項１または２に記載のデジタルカメラにおいて、
前記駆動モータはボイスコイルモータであり、
前記振れ補正機構は、前記ボイスコイルモータによる駆動力で前記撮像素子を駆動して前記手振れを補正することを特徴とするデジタルカメラ。
【請求項５】
請求項３または４に記載のデジタルカメラにおいて、
記録用画像の撮影段階において、前記撮像素子に対して露光が行われる露光時間中は、前記電力設定手段は、前記駆動モータへの電力供給の制限を解除することを特徴とするデジタルカメラ。
【発明の詳細な説明】
【技術分野】
【０００１】
本発明は、手振れ補正機能を有するデジタルカメラに関する。
【背景技術】
【０００２】
近年、多くのデジタルカメラは、手振れによる像振れを低減する手振れ補正装置、即ち防振制御装置を備えている。デジタルカメラは、手振れ補正機能に加えて、多数の機能を備えているので、手振れ補正装置と他の機能装置とを同時に起動させる場合には、カメラ電源装置は比較的に大きな電流を供給する必要があり、そのため、カメラ電源装置が大型化するという問題がある。
この問題を避けるために、手振れ補正装置を駆動する際には、その他の機能装置への給電を制限することができる電源制御装置が提案されている（特許文献１参照）。
【先行技術文献】
【特許文献】
【０００３】
【特許文献１】特開２０００−１０１４２号公報
【発明の概要】
【発明が解決しようとする課題】
【０００４】
ところが、上述の特許文献１に記載された電源制御装置は、手振れ補正装置と他の機能装置とが同時動作される時には、手振れ補正装置の動作を優先保証し、他の機能装置への給電を制限するため、撮影条件によっては他の機能装置への給電制限がカメラ性能の低下を招来するといった問題が生じる。
特に、最近のデジタルカメラにあっては、手振れ補正装置は、静止画像の撮像動作時に動作すると共に、モニタ−装置に表示されるスルー画像、即ちライブビュー画像の表示中にも動作するので、手振れ補正装置と他の機能装置とが同時動作する頻度が多くなり、これによって上述の性能低下は、益々看過することができない問題になる。
【課題を解決するための手段】
【０００５】
請求項１の発明によるデジタルカメラは、第１の駆動部で駆動されるフォーカス光学系及び第２の駆動部で駆動されるズーム光学系を有する撮影光学系で形成された被写体像を撮像する撮像素子と、手振れの補正量を演算する演算手段と、駆動モータを含み、前記演算手段によって演算された前記補正量に基づいて、該駆動モータの駆動力で手振れを補正する振れ補正機構と、前記第１の駆動部、前記第２の駆動部及び前記駆動モータへ電力を供給する電力供給手段と、前記電力供給手段による前記駆動モータへの電力供給量を設定する電力設定手段と、を備え、前記電力設定手段は、前記第１の駆動部が前記フォーカス光学系を駆動中は、前記駆動モータへの電力供給量を第１の電力供給量に設定し、前記第２の駆動部が前記ズーム光学系を駆動中は、前記駆動モータへの電力供給量を前記第１の電力供給量より少ない第２の電力供給量に設定することを特徴とする。
請求項２の発明によるデジタルカメラは、フォーカス光学系及びズーム光学系を有する撮影光学系と、前記撮影光学系で形成された被写体像を撮像する撮像素子と、手振れの補正量を演算する演算手段と、駆動モータを含み、前記演算手段によって演算された前記補正量に基づいて、該駆動モータの駆動力で手振れを補正する振れ補正機構と、前記フォーカス光学系を駆動する第１の駆動部と、前記ズーム光学系を駆動する第２の駆動部と、前記第１の駆動部、前記第２の駆動部及び前記駆動モータへ電力を供給する電力供給手段と、前記駆動モータへ供給される電力を設定する電力設定手段と、を備え、前記電力設定手段は、前記第１の駆動部が前記フォーカス光学系を駆動中は、前記駆動モータへ供給される電力を第１の電力供給量に設定し、前記第２の駆動部が前記ズーム光学系を駆動中は、前記駆動モータへ供給される電力を前記第１の電力供給量より少ない第２の電力供給量に設定することを特徴とする。
【発明の効果】
【０００６】
本発明のデジタルカメラによれば、撮影準備段階において光学調整手段が撮影光学系の調整を行っている時に、制限手段が振れ補正機構の駆動モータへの供給電力を制限するので、たとえこの電力制限によって振れ補正機構の性能低下が生じても実質的に問題が生じず、かつまた、電力供給手段の大型化を回避することができる。
【図面の簡単な説明】
【０００７】
【図１】本発明の実施の形態に係るデジタルカメラの構成を示すブロック図である。
【図２】振れ補正光学系の駆動の準備動作を示すフローチャートである。
【図３】ズーム駆動時に、振れ補正光学系の駆動条件を設定する動作を示すフローチャートである。
【図４】フォーカス駆動時に、振れ補正光学系の駆動条件を設定する動作を示すフローチャートである。
【図５】絞り駆動時に、振れ補正光学系の駆動条件を設定する動作を示すフローチャートである。
【図６】シャッター駆動時に、振れ補正光学系の駆動条件を設定する動作を示すフローチャートである。
【図７】パルス電力のデューティー比を説明するグラフであり、図７（ａ）はデューティー比６０％、図７（ｂ）はデューティー比７０％、図７（ｃ）はデューティー比９０％を示す。
【発明を実施するための形態】
【０００８】
以下、本発明の実施の形態によるデジタルカメラについて、図面を参照しながら説明する。
図１に示されるように、デジタルカメラ１００は、ズーム光学系１１、フォーカス光学系１２、絞り１３、シャッター１４、振れ補正光学系１５、ジャイロセンサ１６および撮像素子１７を備える。また、デジタルカメラ１００は、ズーム駆動部２１、フォーカシング駆動部２２、絞り駆動部２３、シャッター駆動部２４、振れ補正駆動部２５および信号処理部２６を備える。更に、デジタルカメラ１００は、ＣＰＵ３０、画像信号処理回路３１、操作部材３２、記憶媒体３３、システムメモリ３４、表示装置３５、ストロボ装置３６、電力変換部４０、および電池４１を備える。
【０００９】
ズーム光学系１１、フォーカス光学系１２、絞り１３および振れ補正光学系１５は、撮影光学系に含まれる。ズーム光学系１１は、撮影光学系の焦点距離を変えるための光学系であり、フォーカス光学系１２は、被写体との撮影距離に合わせて撮影光学系の焦点位置を調節するための光学系であり、絞り１３は、被写体光の入射光量を調節するための部材である。振れ補正光学系１５は、撮像素子１７の結像面での被写体像の振れを補正するための光学系であり、被写体光の光軸に直交する方向に偏心駆動することにより防振作用を実現する。
【００１０】
ズーム光学系１１、フォーカス光学系１２、絞り１３、シャッター１４および振れ補正光学系１５は、それぞれズーム駆動部２１、フォーカシング駆動部２２、絞り駆動部２３、シャッター駆動部２４、振れ補正駆動部２５によって駆動される。これらのズーム駆動部２１とフォーカシング駆動部２２と絞り駆動部２３とシャッター駆動部２４と振れ補正駆動部２５は、電力変換部４０から給電されるモーターをそれぞれ有する。特に、振れ補正駆動部２５のモータは、ボイスコイルモータが使用されている。
シャッター１４は、スルー画像の生成の為に通常開放され、静止画像の撮影終了時に閉成して撮像素子１７の露光を終了させる。
【００１１】
ジャイロセンサ１６は、撮影光学系の振れを検出し、振れ信号（加速度信号）を出力し、この信号処理部２６は、この振れ信号に基づき像振れ補正量を演算する。
撮像素子１３は、撮影光学系からの被写体光を光電変換することにより画像信号を生成する。
【００１２】
ＣＰＵ３０は、各ブロックから出力される信号を入力して所定の情報を検知したり、所定の演算を行って演算結果に基づく制御信号を各ブロックへ出力する。すなわち、ＣＰＵ３０は、システムメモリ３４に格納されているプログラムを実行することによってデジタルカメラ１００が行う動作を統括的に制御する。
【００１３】
画像信号処理回路３１は、例えばＡＳＩＣとして構成され、撮像素子１７から入力される画像信号に基づいて画像処理を行う。画像処理には、例えば、輪郭強調や色温度調整（ホワイトバランス調整）処理、画像信号に対するフォーマット変換処理が含まれる。
【００１４】
操作部材３２は、パワースイッチ即ち電源スイッチや、レリーズスイッチや、メニュースイッチや、ズーム動作モード及びオートフォーカス動作モードの選択スイッチなどを操作する複数の操作ボタンなどを含み、ユーザーが操作部材３２を操作することにより、電源が投入されたり、被写体の撮影やモード切替えやメニュー選択／決定など各操作に応じた操作信号がＣＰＵ３０へ送出される。
【００１５】
記憶媒体３３は、例えば半導体メモリを内蔵したメモリカードであり、不図示のメモリカードインターフェースのスロットに挿脱可能に装着される。記憶媒体３３を装着することにより、記憶媒体３３に対するデータの書き込みや、記憶媒体３３からのデータの読み出しを行う。例えば、デジタルカメラ１００が撮影モードに設定されているときは、撮影画像のデータを記憶媒体３３に画像ファイルとして保存し、再生モードに設定されているときは、保存されている画像データを読み出して、画像データに基づく再生画像を表示デバイス３５に表示することができる。
【００１６】
システムメモリ３４は、ＣＰＵ３０に実行させるプログラムを記憶する。また、システムメモリ３４は、ＣＰＵ３０のワークメモリとして使用される。
表示装置３５は、撮像素子１７が撮像したスルー画像、即ちライブビュー画像や、記憶媒体３３から読み出された再生画像などを表示する。
ストロボ装置３６は、閃光を被写体に照射して、いわゆるフラッシュ撮影（ストロボ撮影）を行う装置である。
【００１７】
電力変換部は、ＤＣ／ＤＣコンバータを含み、電池４１の電圧を種々の電圧に昇圧及び降圧して、ズーム駆動部２１，フォーカシング駆動部２２、絞り駆動部２３、シャッター駆動部２４、振れ補正駆動部２５を含め、デジタルカメラ１００の各部に給電する。
【００１８】
ここで、本実施の形態におけるズーム駆動部２１とフォーカシング駆動部２２と絞り駆動部２３とシャッター駆動部２４とのそれぞれの駆動電力の関係を説明する。
ズーム駆動部２１の駆動電力とフォーカシング駆動部２２の駆動電力と絞り駆動部２３の駆動電力とシャッター駆動部２４の駆動電力とにおいて、ズーム駆動部２１の駆動電力が最大であり、フォーカシング駆動部２２の駆動電力がその次に大きく、絞り駆動部２３の駆動電力とシャッター駆動部２４の駆動電力は、互いにほぼ同一であり、これらのうちで最も小さい。
このように、ズーム駆動部２１の駆動電力Ｐzとフォーカシング駆動部２２の駆動電力Ｐfと絞り駆動部２３の駆動電力Ｐdと及びシャッター駆動部２４の駆動電力Ｐsとの関係は、以下の通りである。
Ｐz ＞Ｐf ＞Ｐd＝Ｐs
【００１９】
また、振れ補正駆動部２５のボイスコイルモータは、電力変換部４０からのパルス駆動電力によって駆動される。電力変換部４０は、種々のデューティー比（Duty  Ratio）のパルス駆動電力を振れ補正駆動部２５のボイスコイルモータに供給する。
【００２０】
図７を参照して、パルス電力のデューティー比を説明する。グラフの縦軸は電力、横軸は時間を示す。
パルス駆動通電は、例えば、振れ補正駆動部２５のモータへの通電オンと通電オフ、あるいは、通電オンとショートブレーキ状態を繰り返すことにより行われる。通電オンの時間をＴ１、通電オフあるいはショートブレーキ時間をＴ２とした場合、Ｔ＝Ｔ１＋Ｔ２が一定時間となるように繰り返し通電が行われる（Ｔ：通電周期）。本実施形態では、デューティー比ＤをＤ＝１００％×Ｔ１／（Ｔ１＋Ｔ２）として定義する。図７（ａ）はデューティー比６０％、図７（ｂ）はデューティー比７０％、図７（ｃ）はデューティー比９０％を示す。具体的には、２０ｋＨｚのパルス通電で、デューティー比Ｄ＝２５％の通電の場合には、通電周期Ｔ＝５０μsecのうちＴ１＝１２．５μsecが通電オンの時間となり、Ｔ２＝３７．５μsecが通電オフあるいはショートブレーキしている時間となる。
【００２１】
振れ補正駆動部２５は、高デューティー比のパルス駆動電力が供給されると、振れ補正光学系１５の補正用レンズの移動量を大きくすることができ、大きな手振れ補正にも対応することができるが、低デューティー比のパルス駆動電力が供給されると、振れ補正光学系１５の補正用レンズの移動量が相対的に小さくなるので、手振れ補正の効果が小さくなる。
【００２２】
静止画像の撮影時には、振れ補正駆動部２５は、防振性能を最大限に発揮して像ブレを低減しなければならないので、この時には電力変換部４０は、振れ補正駆動部２５に１００％のデューティー比の駆動電力を供給する。
なお、この静止画像の撮影時には、電力変換部４０は、振れ補正駆動部２５への給電と同時にシャッター駆動部２４にも給電する。
【００２３】
こうして、静止画像の撮影時には、振れ補正駆動部２５に１００％のデューティー比の駆動電力Ｐ100が供給されると同時にシャッター駆動部２４にも駆動電力Ｐsが供給されるので、電力変換部４０は、振れ補正駆動部２５とシャッター駆動部２４とに合計、（Ｐ100＋Ｐs）の電力を出力する。
【００２４】
他方、静止画像の撮影動作の前段階、即ち撮影動作の準備段階では、スルー画像が表示され、撮影光学系について、ズーム駆動部２１によるズーミング動作やフォーカシング駆動部２２によるオートフォーカ動作や絞り駆動部２３による絞り制御動作がそれぞれ行われると共に、スルー画像の像ブレを低減する為に振れ補正駆動部２５による像ブレ補正動作が行われる。
【００２５】
こうして、撮影動作の準備段階では、振れ補正駆動部２５への給電とズーム駆動部２１への給電、又は振れ補正駆動部２５への給電とフォーカシング駆動部２２への給電が同時に行われ、ズーム駆動部２１の駆動電力Ｐｚ及びフォーカシング駆動部２２の駆動電力Ｐfは共に、シャッター駆動部２４の駆動電力Ｐsよりも大きい。従って、もしこの撮影動作の準備段階にも振れ補正駆動部２５に１００％のデューティー比の駆動電力Ｐ100を供給した場合には、撮影動作の準備段階の振れ補正駆動部２５とズーム駆動部２１との合計駆動電力が、静止画像撮影時の合計駆動電力（Ｐ100＋Ｐs）よりも大きくなってしまう。同様に、振れ補正駆動部２５とフォーカシング駆動部２２との合計駆動電力が静止画像撮影時の合計駆動電力（Ｐ100＋Ｐs）よりも大きくなってしまう。
【００２６】
そこで、このような撮影動作の準備段階の振れ補正駆動部２５及び他の駆動部の合計駆動電力が静止画像撮影時の合計駆動電力（Ｐ100＋Ｐs）よりも大きくなってしまうといった事態を回避する為に、撮影動作の準備段階にあっては、振れ補正駆動部２５がズーム駆動部２１と同時に動作される時には、振れ補正駆動部２５のパルス駆動電力のデューティー比の上限を例えば６０％に制限する。同様に、振れ補正駆動部２５がフォーカシング駆動部２２と同時に動作される時には、振れ補正駆動部２５のパルス駆動電力のデューティー比の上限を例えば７０％に制限する。更に、振れ補正駆動部２５が絞り駆動部２３と同時に動作される時、及び振れ補正駆動部２５が単独で動作される時には、振れ補正駆動部２５のパルス駆動電力のデューティー比の上限を例えば９０％に制限する。
【００２７】
デューティー比９０％の上限値を第１の上限値と称し、デューティー比７０％の上限値を第２の上限値と称し、デューティー比６０％の上限値を第３の上限値と称する。
なお、第２の上限値のデューティー比７０％は、フォーカシング駆動部２２の駆動電力Ｐfとシャッター駆動部２４の駆動電力Ｐsとの差に基づき、定められる。
同様に、第３の上限値のデューティー比６０％は、ズーム駆動部２１の駆動電力Ｐｚとシャッター駆動部２４の駆動電力Ｐsとの差に基づき、定められる。
【００２８】
また、第１の上限値のデューティー比９０％は以下のように定められる。
即ち、表示装置３５に表示されるスルー画像は、撮影される静止画像に比べて解像度が大きく低下しており、この為に振れ補正駆動部２５のパルス駆動電力のデューティー比を例えば９０％に制限してもスルー画像では防振性能の低下を殆ど視認することができない。このようにスルー画像の表示時には、デューティー比の上限を９０％に制限して電力消費を低減しても、スルー画像での防振性能の低下は殆ど現れない。
【００２９】
なお、ズーム駆動部２１の駆動電力Ｐzとフォーカシング駆動部２２の駆動電力Ｐfと絞り駆動部２３の駆動電力Ｐdとシャッター駆動部２４の駆動電力Ｐs等は、ＣＰＵ３０の指令によって、電力変換部４０がそれぞれに供給する。
また、振れ補正駆動部２５の所定デューティー比のパルス駆動電力もＣＰＵ３０の指令によって、電力変換部４０が供給する。
【００３０】
次に、本実施の形態のデジタルカメラの動作を説明する。
図２において、ステップＳ１０１において、操作部材３２の操作によってパワースイッチが投入されると、ステップＳ１０２で、ＣＰＵ３０は、振れ補正駆動部２５のパルス駆動電力のデューティー比を第１の上限値（９０％）に設定する。その後に、ステップＳ１０３において、ＣＰＵ３０は、振れ補正用光学系１５の初期化動作を実行する。この初期化動作は、振れ補正光学系１５の位置検出信号のキャリブレーション、即ち位置検出信号のレベル調整である。
【００３１】
ステップＳ１０４において、ＣＰＵ３０は、振れ補正駆動部２５が第１の上限値の駆動電力によって振れ補正光学系１５を駆動し、防振動作を実行する。
ステップＳ１０５において、ＣＰＵ３０は、振れ補正駆動部２５のパルス駆動電力のデューティー比の上限を第３の上限値（６０％）に設定し、ステップＳ１０６において、ＣＰＵ３０は、撮影光学系鏡筒の初期化動作を実行する。この鏡筒初期化動作では、ズーム駆動部２１によるズーム動作の初期化、及びフォーカシング駆動部２２によるオートフォーカス動作の初期化等が順次行われる。
【００３２】
ステップＳ１０７において、ＣＰＵ３０は、振れ補正駆動部２５のパルス駆動電力のデューティー比の上限を第１の上限値（９０％）に再設定する。その後に、ステップＳ１０８において、ＣＰＵ３０はスルー画像を表示装置３５に表示させる。
上述のように、表示装置３５に表示されたスルー画像の解像度は、余り高くないので、振れ補正駆動部２５のパルス駆動電力のデューティー比の上限を第１の上限値（９０％）に制限しても、手振れ補正量減少による防振性能の低下は、そのスルー画像に実質的に現れない。
【００３３】
図３において、撮影者が操作部材３２を操作してズームスイッチをオンすると、ステップＳ２０１でズーム駆動部２１がズーム動作を開始すると同時に、ＣＰＵ３０は、ステップＳ２０２で振れ補正駆動部２５のパルス駆動電力のデューティー比の上限を第３の上限値（６０％）に設定する。
第３の上限値に設定されると、手振れ補正量減少による防振性能はかなり低下するが、表示装置３５のスルー画像は低解像度であると共にズーミングによって被写体像が拡大又は縮小変化しているため、撮影者は、防振性能の低下を視認することができないか、またはそれが殆ど気にならない。
ステップＳ２０３でズーム動作が終了すると、ステップＳ２０４において、ＣＰＵ３０は、振れ補正駆動部２５のパルス駆動電力のデューティー比の上限を第１の上限値（９０％）に設定する。
【００３４】
図４において、撮影者が操作部材３２を操作してオートフォーカススイッチをオンすると、ステップＳ３０１で、フォーカシング駆動部２２がオートフォーカス動作を開始すると同時に、ＣＰＵ３０は、ステップＳ３０２で、振れ補正駆動部２５のパルス駆動電力のデューティー比の上限を第２の上限値（７０％）に設定する。
第２の上限値に設定されると、手振れ補正量減少による防振性能は低下するが、表示装置３５のスルー画像は低解像度であると共に合焦前には映像がボケているため、撮影者は、防振性能の低下を視認することができないか、またはそれが殆ど気にならない。
ステップＳ３０３で、フォーカシング動作が終了すると、ステップＳ３０４において、ＣＰＵ３０は、振れ補正駆動部２５のパルス駆動電力のデューティー比の上限を第１の上限値（９０％）に設定する。
【００３５】
図５において、ステップＳ４０１で絞り駆動部２３が絞り１３の駆動を開始すると同時に、ステップＳ４０２で、ＣＰＵ３０は、振れ補正駆動部２５のパルス駆動電力のデューティー比の上限を第１の上限値（９０％）のままとする。これは、絞り駆動部２３の駆動電力がシャッター駆動部２４の駆動電力とほぼ同一であるためである。
ステップＳ４０３で絞り駆動が終了しても、ステップＳ４０４で振れ補正駆動部２５のパルス駆動電力のデューティー比の上限は第１の上限値（９０％）のままである。
【００３６】
図６において、ステップＳ５０１で操作部材３２を操作してレリーズスイッチをオンすると、ステップＳ５０２で、ＣＰＵ３０は、補正駆動部２５の駆動電力のデューティー比の上限を第１の上限値（９０％）に設定する。ここで、振れ補正駆動部２５は、１００％のデューティー比の駆動電力の給電によって、最大防振性能を発揮させるようにしてもよい。
その後、ステップＳ５０３で静止画の撮影動作が実行される。ステップＳ５０４でシャッター駆動部２４がシャッター１４を開放駆動及び閉成駆動して、撮像素子１７の露光を終了させる。ステップＳ５０５でシャッターの閉成駆動の終了を検出すると、ＣＰＵ３０は、ステップＳ５０６で振れ補正駆動部２５のパルス駆動電力のデューティー比の上限を第１の上限値（９０％）の状態を維持し、その後のスルー画像の表示に備える。
【００３７】
上述した実施の形態のデジタルカメラ１００によると、撮影動作の準備段階にあっては、スルー画像が表示装置３５に表示されており、このスルー画像の解像度は、比較的低いので、振れ補正駆動部２５のパルス駆動電力のデューティー比の上限を第１の上限値に制限する。更に、フォーカシング駆動部２２やズーム駆動部２１が駆動される時には、振れ補正駆動部２５のパルス駆動電力のデューティー比の上限をそれぞれ第２の上限値及び第３の上限値に制限する。
こうして、振れ補正駆動部２５のパルス駆動電力を制限して、電力変換部４０の大型化、つまり実装面積の増大を抑えると共に、電池の消耗を防止することができる。
この時に、スルー画像の解像度が比較的低いため、振れ補正駆動部２５の防振性能の低下の影響が殆ど視認できない。更に、フォーカシング駆動部２２やズーム駆動部２１によってスルー画像がフォーカシングされている状態や、ズーミングされている状態では一層防振性能の低下を視認することができなくなり、実質的に防振性能の低下がスルー画像に現れなくなる。
【００３８】
なお、本実施形態ではＣＰＵ３０はデジタルカメラ１００を統括的に制御したが、複数のＣＰＵを備え、そのうちの１つのＣＰＵが防振動作を制御してもよい。例えば、防振動作制御のための専用のＣＰＵとその他のカメラ全体の制御のためのＣＰＵとを別々に備えてもよい。
本発明は、その特徴を損なわない限り、以上説明した実施の形態に何ら限定されるものではない。
【符号の説明】
【００３９】
１１：ズーム光学系                    １２：フォーカス光学系
１３：絞り                            １４：シャッター
１５：振れ補正光学系                  １７：撮像素子
２１：ズーム駆動部                    ２２：フォーカシング駆動部
２３：絞り駆動部                      ２４：シャッター駆動部
２５：振れ補正駆動部                  ３０：ＣＰＵ
３２：操作部材                        ３５：表示装置
４０：電力変換部                      ４１：電池
１００：デジタルカメラ
【図１】
0005526729.tif 000002
【図２】
0005526729.tif 000003
【図３】
0005526729.tif 000004
【図４】
0005526729.tif 000005
【図５】
0005526729.tif 000006
【図６】
0005526729.tif 000007
【図７】
0005526729.tif 000008